(57)【特許請求の範囲】
【請求項１】
外筒と内筒とを具備した嵌合筒と、該嵌合筒の内筒から上方に延びるよう連設され上端に注出筒支持壁を具備した螺合筒と、該注出筒支持壁に連設された注出筒を具備した中栓であって、
注出筒の下部に隔壁を設け、該隔壁周縁から内壁を垂設し、該内壁の内周面に縦リブを設け、該縦リブを治具の縦溝に係止される位置決め用部材としたことを特徴とする中栓。
【請求項２】
外筒と内筒とを具備した嵌合筒と、該嵌合筒の内筒から上方に延びるよう連設され上端に注出筒支持壁を具備した螺合筒と、該注出筒支持壁に連設され下端に隔壁を設けた注出筒とを具備した中栓であって、
注出筒と螺合筒との間に両者を連結する縦リブを設け、該縦リブを治具のスリットに係止される位置決め用部材としたことを特徴とする中栓。
【請求項３】
外筒と内筒とを具備した嵌合筒と、該嵌合筒の内筒から上方に延びるよう連設され上端に注出筒支持壁を具備した螺合筒と、該注出筒支持壁に連設された注出筒を具備し、注出筒の下部に隔壁を設け、該隔壁周縁から内壁を垂設し、該内壁の内周に縦リブを設けた中栓を、廻動不能に保持する中栓保持用の治具であって、
該中栓の前記縦リブに係合する縦溝を刻設し、中栓の内壁内周面に嵌挿される外周面を有する保持台と、内壁の下端を載置する支持段部とを具備していることを特徴とする中栓の保持用治具。
【請求項４】
外筒と内筒とを具備した嵌合筒と、該嵌合筒の内筒から上方に延びるよう連設され上端に注出筒支持壁を具備した螺合筒と、該注出筒支持壁に連設され下端に隔壁を設けた注出筒とを具備し、注出筒と螺合筒との間に両者を連結する縦リブを設けた中栓を、廻動不能に保持する中栓保持用の治具であって、
該中栓の嵌合筒の内筒の内径とほぼ等しい外径を有する円柱部と、該円柱部から延び、注出筒と螺合筒との間隙にほぼ等しい厚さを有し、かつ、前記縦リブに対応するスリットが穿設された円筒部と具備していることを特徴とする中栓の保持用治具。
【発明の詳細な説明】
【０００１】
【発明の属する技術分野】
本発明は、中栓の廻動を阻止するようにした中栓とその保持用治具に関する。
【０００２】
【発明が解決しようとする課題】
容器口部に打栓する嵌合筒と、その上方に立設され、注出筒を連接した螺合筒とからなる中栓と、該中栓の螺合筒に螺合されるキャップとを備えた液注出容器において、内容液充填後にキャップを螺合して被せた中栓を、容器口部に打栓することは従来より普通に実施されており、キャップの螺合にあたっては、中栓を治具の中栓保持部材に被嵌するとともに、嵌合筒の外筒外周を挟持部材で締め付け、中栓が廻動しないようにしていた。
しかしながら、キャップとして、中栓嵌合筒の外筒外周の大部分を被う被せ筒を有するキャップが用いられるようになると、治具の挟持部材が邪魔になってキャップを螺合させることができないという問題が生じてきた。
【０００３】
本発明は、上記の問題点を解決することを課題とし、挟持部材を使わないで中栓保持部材のみによって中栓の廻動を阻止するようにした中栓用治具と、該治具に適合する中栓を提供することを目的とする。
【０００４】
【課題を解決するための手段】
本発明は、上記の課題を達成するため、中栓として、外筒と内筒とを具備した嵌合筒と、該嵌合筒の内筒から上方に延びるよう連設され上端に注出筒支持壁を具備した螺合筒と、該注出筒支持壁に連設された注出筒を具備した中栓であって、注出筒の下部に隔壁を設け、該隔壁周縁から内壁を垂設し、該内壁の内周面に縦リブを設け、該縦リブを治具の縦溝に係止される位置決め用部材としたことを特徴とする構成を採用する。
【０００５】
また、中栓の別実施態樣として、外筒と内筒とを具備した嵌合筒と、該嵌合筒の内筒から上方に延びるよう連設され上端に注出筒支持壁を具備した螺合筒と、該注出筒支持壁に連設され下端に隔壁を設けた注出筒とを具備した中栓であって、注出筒と螺合筒との間に両者を連結する縦リブを設け、該縦リブを治具のスリットに係止される位置決め用部材としたことを特徴とする構成を採用する。
【０００６】
中栓の保持用治具として、外筒と内筒とを具備した嵌合筒と、該嵌合筒の内筒から上方に延びるよう連設され上端に注出筒支持壁を具備した螺合筒と、該注出筒支持壁に連設された注出筒を具備し、注出筒の下部に隔壁を設け、該隔壁周縁から内壁を垂設し、該内壁の内周に縦リブを設けた中栓を、廻動不能に保持する中栓保持用の治具であって、該中栓の前記縦リブに係合する縦溝を刻設し、中栓の内壁内周面に嵌挿される外周面を有する保持台と、内壁の下端を載置する支持段部とを具備していることを特徴とする構成を採用する。
【０００７】
また、保持用治具の別実施態樣として、外筒と内筒とを具備した嵌合筒と、該嵌合筒の内筒から上方に延びるよう連設され上端に注出筒支持壁を具備した螺合筒と、該注出筒支持壁に連設され下端に隔壁を設けた注出筒とを具備し、注出筒と螺合筒との間に両者を連結する縦リブを設けた中栓を、廻動不能に保持する中栓保持用の治具であって、該中栓の嵌合筒の内筒の内径とほぼ等しい外径を有する円柱部と、該円柱部から延び、注出筒と螺合筒との間隙にほぼ等しい厚さを有し、かつ、前記縦リブに対応するスリットが穿設された円筒部と具備していることを特徴とする構成を採用する。
【０００８】
【発明の実施の形態】
次に、本発明の第１実施形態について、図面を参照して説明する。
図１において、Ａは中栓、Ｂはキャップ、Ｃは中栓保持用の治具である。
【０００９】
図１〜３に示すように、中栓Ａは、容器口筒部に嵌着する嵌合筒１と、注出筒２を連接した螺合筒３とを具えている。
嵌合筒１は、内筒４と外筒５および肩壁６とからなり、螺合筒３は、内筒４から上方に延びるよう連設されている。
外筒５の下端部内周には容器口筒部外周に設けられた周知の係合突条（図示しない）に係合する係合突条７が突設されており、内筒４の外周面上方には、締め代を形成する膨出部８が設けられている。
【００１０】
中栓の容器への打栓時には、内筒４の膨出部８が容器口筒部内周に嵌合され、外筒５の係合突条７が容器口筒部の係合突条下端に係合して、中栓Ａを容器口筒部に嵌着する。
そして、内筒４とともに肩壁６が容器口筒部上端面に密着することによって容器内部を密封する。
【００１１】
外筒５の所定個所には、下端部に連結部９を残して外筒５を周方向に区分する縦方向の切込み１０が穿設され、肩壁６には、外筒５内周に沿って切込み１０に連続する一定長さの切込み１１が穿設されており、二つの切込みによって外筒５の周壁に摘み部１２が形成されている。
肩壁６の下面には、切込み１１に続いて薄肉を残したほぼＶ字形の切断溝１３が、外筒５内周に沿って少なくとも１８０度を越える角度範囲に穿設されている。
螺合筒３の外周には、ネジ１４が刻設されており、上端には、内方に延びる注出筒２の支持壁１５が連設されている。
【００１２】
注出筒２は、その上端周縁には、外方に拡開され湾曲する注出口唇部２０が形成され、下端には、隔壁２１が連設されている。
隔壁２１下面には、注出筒２に連続する内壁２２が垂設され、内壁２２内周には、所定間隔をおいて下端に達する縦リブ２３が設けられている。
隔壁２１の裏面には、所定の形状に沿って、薄肉を残してＶ字状の切断溝２４が設けられ、その内側の隔壁２１は除去部２５となっており、除去部２５の上面には、連結片２６を介して指掛けリング２７が設けられている。
【００１３】
図１に示すように、キャップＢは、頂壁３０と側筒壁３１、側筒壁３１の下方に設けられた被せ筒３２とを具えている。
頂壁３０の下面には、密封リング３３が垂設されており、側筒壁３１の内周には、中栓Ａの螺合筒３のネジ１４に螺合するネジ３４が刻設されている。
側筒壁３１の下端には、フランジ状に拡がる肩壁３５が連設されており、肩壁３５の周縁から側筒３６が垂設されている。
肩壁３５と側筒３６によって、中栓Ａの嵌合筒１に対する被せ筒３２が構成されている。
【００１４】
キャップＢを中栓Ａに螺合締着すると、密封リング３３の外周は、注出筒２の内周に嵌合して注出筒２を密封し、被せ筒３２は、その肩壁３５が、中栓Ａの嵌合筒１の肩壁６に接合し、側筒３６によって外筒５の外周面を覆うよう被嵌される。
【００１５】
図１，４に示すように、治具Ｃは、固定の基台４０と、該基台４０上に軸線を同一として立設された中栓の保持部材４１とからなっている。
保持部材４１は、中栓Ａの内壁２２内周と同径の保持台４２と注出筒下端を載置する支持段部４３とを有しており、保持台４２の外周には、等間隔をおいて中栓の縦リブ２３の巾とほぼ等しい巾を有し、保持台４２上端から支持段部４３に達する縦溝４４が刻設されている。
【００１６】
次に、中栓保持用の治具の使用態様と作用効果について説明する。
本発明の中栓は、従来の中栓同様に内容液が容器に充填された後、キャップを螺合被蓋して打栓により嵌着される。
キャップＢの螺合に際して、中栓Ａを治具Ｃの保持台４２に、中栓Ａ内壁２２をその縦リブ２３が縦溝４４に嵌合するように嵌挿し、内壁２２下端が支持段部４３に接合するまで押し込んで載置する。
かくして、中栓Ａは、治具Ｃによって廻動不能に保持され、キャップＢを中栓Ａの螺合筒３に螺合嵌着することができるのである。
【００１７】
上記実施形態では、内壁２２に縦リブ２３を設け、治具Ｃの保持台４２周面に縦溝４４を設けたが、内壁にスリットまたは凹溝を形成し、治具Ｃの保持台４２周面にスリットまたは凹溝に嵌挿する凸条を形成するようにしてもよい。
その場合、縦リブ２３とともに内壁に形成されたスリットまたは凹溝も、治具Ｃに係止される位置決め用部材ということができる。
【００１８】
次に、中栓と治具の保持部材との構造を変更した第２実施形態について説明する。
本実施形態は、第１実施形態における注出筒と螺合筒との間に、両者を連結する縦リブを設け、治具の保持台に該縦リブを挟持させるスリットを設けたもので、以下相違点を中心に説明する。
【００１９】
図５，６に示すように、中栓Ａａは、前記第１実施形態と同様に、嵌合筒１ａと、注出筒２ａを連接した螺合筒３ａとを具えている。
嵌合筒１ａは、内筒４ａと外筒５ａおよび肩壁６ａとからなり、螺合筒３ａは、内筒４ａから上方に延びるよう連設されている。
【００２０】
外筒５ａには、下端部に連結部９ａを残して縦方向の切込み１０ａが穿設され、肩壁６ａには、外筒５ａ内周に沿って切込み１０ａに連続する一定長さの切込み１１ａが穿設されており、二つの切込みによって外筒５ａの周壁に摘み部１２ａが形成されている。
肩壁６ａの下面には、切込み１１ａに続いて切断溝１３ａが、外筒５ａ内周に沿って穿設されている。
【００２１】
螺合筒３ａ上端には、内方に延びる注出筒２ａの支持壁１５ａが連設されている。
注出筒２ａの下端には、隔壁２１ａが連設されており、注出筒２ａと螺合筒３ａとの間には、周方向に等間隔をおいて両者を連結する縦リブ５０が設けられている。
【００２２】
図５に示すように、キャップＢａは、前記第１実施形態と同様に、頂壁３０ａと側筒壁３１ａ、側筒壁３１ａの下方に設けられたフランジ状の肩壁３５ａと側筒３６ａからなる被せ筒３２ａとを具えている。
【００２３】
図６に示すように、治具Ｃａは、基台５１と、該基台５１上に立設された保持部材５２とからなっている。
保持部材５２は、中栓Ａａの内筒４ａの内径と同一の外径を有する円柱部５３と、該円柱部５３外周から上方に延び、螺合筒３ａと注出筒２ａとの間の間隙に等しい厚さを有する円筒部５４とからなっており、円筒部５４には、中栓Ａａに設けられた縦リブ５０の巾にほぼ等しい巾を有するスリット５５が穿設されている。
【００２４】
次に、治具Ｃａの使用態様について説明する。
中栓ＡａへのキャップＢａの螺合に際して、中栓Ａａを治具Ｃａの保持部材５２の円筒部５４に、中栓Ａａの内筒４ａを嵌挿し、縦リブ５０をスリット５５にはめ込むように押し込むと、円筒部５４の先端は、中栓Ａａの注出筒２ａの支持壁１５ａまで入り、円柱部５３は内筒４ａに嵌合する。
かくして、前記第１実施形態と同様に、中栓Ａａは、治具Ｃａに廻動不能に保持され、キャップＢａを容易に螺合することができる。
【００２５】
また、中栓Ａａの縦リブ５０の位置は、内筒４ａの内面とは離れた個所に設けてあるので、成形時に内筒４ａの外周面にヒケが発生することなく、容器口筒部への中栓の密封性を阻害することはない。
【００２６】
上記第２実施形態においては中栓Ａａに縦リブ５０を設け、治具Ｃａにスリット５５を設けているが、注出筒２ａと螺合筒３ａとの間に円弧断面とした多数の長孔を穿設し、治具Ｃａの円筒部５４に長孔に挿入される突き棒を突設してもよい。
【００２７】
上記各実施形態では、キャップの被せ筒により中栓の嵌合筒の外筒を覆うようにしているが、本発明の中栓は、被せ筒を有しないキャップを用いた場合にも適用することができ、廻動を阻止するための挟持部材をなくすことができるので、治具の構成が簡単になった。
【００２８】
【発明の効果】
本発明は、上記のように構成されているから、次の効果を奏する。
中栓に、治具の保持部材に係止される位置決め部材を設け、保持部材に中栓の位置決め部材に係合する溝、凸条またはスリットなどの係合部を設けたことにより中栓の廻動が阻止され、中栓の嵌合筒の外周面を押しつける挟持部材が不要となった。
【図面の簡単な説明】
【図１】第１実施形態における治具に中栓を取着したキャップの螺合前の説明図である。
【図２】中栓の説明図で、（ａ）は正面図、（ｂ）は図（ａ）のＡ−Ａ線における断面図である。
【図３】中栓の底面図である。
【図４】治具の説明図で、（ａ）は一部断面正面図、（ｂ）は斜視図である。
【図５】  第２実施形態における治具に中栓を取着したキャップの螺合前の説明図である。
【図６】  中栓の説明図で、（ａ）は断面側面図、（ｂ）は底面図である。
【図７】  治具の説明図で、（ａ）は一部断面正面図、（ｂ）は斜視図である。
【符号の説明】
Ａ，Ａａ        中栓
Ｂ，Ｂａ        キャップ
Ｃ，Ｃａ        治具
１，１ａ        嵌合筒
２，２ａ        注出筒
３，３ａ        螺合筒
４，４ａ        内筒
５，５ａ        外筒
６，６ａ        肩壁
２１，２１ａ    隔壁
２２            内壁
２３            縦リブ
３０，３０ａ    頂壁
３１，３１ａ    側筒壁
３２，３２ａ    被せ蓋
４０            基台
４１            保持部材
４２            保持台
４３            支持段部
４４            縦溝
５０            縦リブ
５１            基台
５２            保持部材
５３            円柱部
５４            円筒部
５５            スリット
【図１】
0003865952.tif 000002
【図２】
0003865952.tif 000003
【図３】
0003865952.tif 000004
【図４】
0003865952.tif 000005
【図５】
0003865952.tif 000006
【図６】
0003865952.tif 000007
【図７】
0003865952.tif 000008